(57)【要約】  【課題】  スキャーナ部は、ユーザーの操作する為に、上部に制約があり、本体ハウジング部には、内蔵する給紙カセットや画像形成の為に必要なプロセスを収納しないといけない為、最低限のスペースが必要である。その為、そのスキャーナ部と本体ハウジング部とのスペース（以下、収容スペースという）が、狭くなり、ユーザーとって、識別しづらいという問題点があった。  【解決手段】  スキャーナ部と本体ハウジング部との間にあり、定着された後の用紙を排出する排出機能を有し、かつ、そのスキャーナ部を保持する第１支柱部を有する画像形成装置において、第１支柱部の前方部の色彩が、そのスキャーナ部の前方部の色彩及び／又は本体ハウジング部の前方部の色彩より、暗いことを特徴とする画像形成装置を提供する。【選択図】  図１
2005099852.tif 000002
【特許請求の範囲】
【請求項１】
定着された後に排出された用紙が収容される用紙収容部と、その用紙収容部を上部に内蔵した本体ハウジング部と、その用紙収容部の上部にあり、かつ、原稿を読取る為のスキャーナ部と、スキャーナ部の前方に設けられ画像形成装置の操作を行う操作部と、そのスキャーナ部と本体ハウジング部との間にあり、定着された後の用紙を排出する排出機能を有し、かつ、そのスキャーナ部を保持する第１支柱部と、を有する画像形成装置において、
第１支柱部の前方部の色彩が、そのスキャーナ部の前方部の色彩及び／又は本体ハウジング部の前方部の色彩より、暗いことを特徴とする画像形成装置。
【請求項２】
定着された後に排出された用紙が収容される用紙収容部と、その用紙収容部を上部に内蔵した本体ハウジング部と、その用紙収容部の上部にあり、かつ、原稿を読取る為のスキャーナ部と、スキャーナ部の前方に設けられ画像形成装置の操作を行う操作部と、そのスキャーナ部と本体ハウジング部との間にあり、定着された後の用紙を排出する排出機能を有し、かつ、そのスキャーナ部を保持する第１支柱部と、を有する画像形成装置において、
第１支柱部の前方部の色彩が、そのスキャーナ部の前方部の色彩及び／又は本体ハウジング部の前方部の色彩より、マンセルチャート（JIS）のマンセル値における明度の差が、３以上であることを特徴とする画像形成装置。
【請求項３】
少なくとも、第１支柱部の前方部の色彩が、マンセルチャート（JIS）のマンセル値における明度が、２以下であることを特徴とする請求項１または請求項２に記載の画像形成装置。
【請求項４】
スキャーナ部の前方に設けられた操作部の色彩を、第１支柱部の前方部の色彩と略同等としたことを特徴とする請求項１から請求項３までのいずれかに記載の画像形成装置。
【請求項５】
スキャーナ部の前方に設けられた操作部の色彩が、第１支柱部の前方部の色彩より、マンセルチャート（JIS）のマンセル値における明度の差が、３以下であることを特徴とする請求項１から請求項３までのいずれかに記載の画像形成装置。
【請求項６】
定着された後に排出された用紙が収容される用紙収容部と、その用紙収容部を上部に内蔵した本体ハウジング部と、その用紙収容部の上部にあり、かつ、原稿を読取る為のスキャーナ部と、スキャーナ部の前方に設けられ画像形成装置の操作を行う操作部と、そのスキャーナ部と本体ハウジング部との間にあり、定着された後の用紙を排出する排出機能を有し、かつ、そのスキャーナ部を保持する第１支柱部と、を有する画像形成装置において、
０．６≧Ｌａ／Ｌｂ≧０．３
Lａ：後方に位置する第１支柱部の最前の前方部の位置と、前方に位置する操作部又は本体ハウジング部の最前の前方部の位置との距離
Ｌb：そのスキャーナ部の底面と胴内の用紙収容部における用紙排出トレーの最下位置との距離
上記の式を満たすことを特徴とする請求項１から請求項５までのいずれかに記載の画像形成装置。
【発明の詳細な説明】
【技術分野】
【０００１】
本発明は、複写機、ファクシミリ、プリンタ等の画像形成装置、特に、排出さえた用紙を、原稿を読取る為のスキャーナ部とその用紙を上部に排出するトレーを内蔵した本体ハウジング部との中に収納する画像形成装置（以下、胴内排出型画像形成装置という。）に関する。
【背景技術】
【０００２】
従来、複写機、ファクシミリ、プリンタ等を有する画像形成装置には、複写機能の使用時に排出される転写紙を収容する用紙収容部（排出部）や、ファクシミリ機能又は、プリンタ機能の使用時に排出される受信シートを蓄える為の用紙収容部（排出部）をそなえたものがある。
【０００３】
さらに、その用紙収容部を原稿を読取る為のスキャーナ部とその用紙を上部に排出するトレーを内蔵した本体ハウジング部との中に収納する画像形成装置（以下、胴内排出型画像形成装置という。）がある。
【特許文献１】特開２０００−２８９９１７号公報
【発明の開示】
【発明が解決しようとする課題】
【０００４】
しかしながら、上記のような胴内排出型画像形成装置は、スキャーナ部と排出するトレーを内蔵した本体ハウジング部の間に、用紙が排出される。
【０００５】
しかし、そのスキャーナ部は、ユーザーの操作する為に、上部に制約があり、本体ハウジング部には、内蔵する給紙カセットや画像形成の為に必要なプロセスを収納しないといけない為、最低限のスペースが必要である。
【０００６】
その為、そのスキャーナ部と本体ハウジング部とのスペース（以下、収容スペースという）が、狭くなり、ユーザーとって、識別しづらいという問題点があった。
【０００７】
さらに、このような胴内排出型画像形成装置は、胴内排出に空洞がある為に、装置全体が弱そうなイメージがある。
【０００８】
又、スキャーナ部、本体ハウジング部、第１支柱部の前方部の色彩が、略同じであった為に、さらに、その収容スペースの視認性が悪かった。
【０００９】
そこで、本件特許発明は、その収容スペースの視認性を向上させて、排出された転写紙を取りやすくし、つまり、ユーザーの操作性を向上させる画像形成装置を提供することにある。
【課題を解決するための手段】
【００１０】
請求項１に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、スキャーナ部の前方に設けられ画像形成装置の操作を行う操作部と、そのスキャーナ部と本体ハウジング部との間にあり、定着された後の用紙を排出する排出機能を有し、かつ、そのスキャーナ部を保持する第１支柱部と、を有する画像形成装置において、第１支柱部の前方部の色彩が、そのスキャーナ部の前方部の色彩及び／又は本体ハウジング部の前方部の色彩より、暗いことを特徴とする画像形成装置を提供するものである。
【００１１】
請求項２に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、スキャーナ部の前方に設けられ画像形成装置の操作を行う操作部と、そのスキャーナ部と本体ハウジング部との間にあり、定着された後の用紙を排出する排出機能を有し、かつ、そのスキャーナ部を保持する第１支柱部と、を有する画像形成装置において、第１支柱部の前方部の色彩が、そのスキャーナ部の前方部の色彩及び／又は本体ハウジング部の前方部の色彩より、マンセルチャート（JIS）のマンセル値における明度の差が、３以上であることを特徴とする画像形成装置を提供するものである。
【００１２】
請求項３に記載の発明によれば、少なくとも、第１支柱部の前方部の色彩が、マンセルチャート（JIS）のマンセル値における明度が、２以下であることを特徴とする請求項１または請求項２に記載の画像形成装置を提供するものである。
【００１３】
請求項４に記載の発明によれば、スキャーナ部の前方に設けられた操作部の色彩を、第１支柱部の前方部の色彩と略同等としたことを特徴とする請求項１から請求項３までのいずれかに記載の画像形成装置を提供するものである。
【００１４】
請求項５に記載の発明によれば、スキャーナ部の前方に設けられた操作部の色彩が、第１支柱部の前方部の色彩より、マンセルチャート（JIS）のマンセル値における明度の差が、３以下であることを特徴とする請求項１から請求項３までのいずれかに記載の画像形成装置を提供するものである。
【００１５】
請求項６に記載の発明によれば、定着された後に排出された用紙が収容される用紙収容部と、その用紙収容部を上部に内蔵した本体ハウジング部と、その用紙収容部の上部にあり、かつ、原稿を読取る為のスキャーナ部と、スキャーナ部の前方に設けられ画像形成装置の操作を行う操作部と、そのスキャーナ部と本体ハウジング部との間にあり、定着された後の用紙を排出する排出機能を有し、かつ、そのスキャーナ部を保持する第１支柱部と、を有する画像形成装置において、
０．６≧Ｌａ／Ｌｂ≧０．３
Lａ：後方に位置する第１支柱部の最前の前方部の位置と、前方に位置する操作部又は本体ハウジング部の最前の前方部の位置との距離
Ｌb：そのスキャーナ部の底面と胴内の用紙収容部における用紙排出トレーの最下位置との距離
上記の式を満たすことを特徴とする請求項１から請求項５までのいずれかに記載の画像形成装置を提供するものである。
【発明の効果】
【００１６】
請求項１記載の発明により、その収容スペースの影と第１支柱部の前方部の色彩が略一体となるので、その収容スペースの視認性を向上させて、排出された転写紙を取りやすくし、つまり、ユーザーの操作性を向上させるという効果がある。
【００１７】
請求項２記載の発明により、第１支柱部の前方部の色彩が、そのスキャーナ部の前方部の色彩及び／又は本体ハウジング部の前方部の色彩より、マンセルチャート（JIS）のマンセル値における明度の差が、３以上で差が多いことによって、その収容スペースのより視認性を向上させて、排出された転写紙を取りやすくし、つまり、ユーザーの操作性を向上させるという効果がある。
【００１８】
請求項３記載の発明により、第１支柱部の前方部のマンセル値における明度が、２以下であることによって、その収容スペースの影と第１支柱部の前方部の色彩が一体となるので、その収容スペースのより視認性を向上させて、排出された転写紙を取りやすくし、つまり、ユーザーの操作性を向上させるという効果がある。
【００１９】
請求項４記載の発明により、さらに、そのスキャーナ部の前方に設けられた操作部の色彩を、第１支柱部の前方部の色彩と略同等としたことによって、スキャーナ部の全体を把握できるので、その収容スペースのより視認性を向上させて、排出された転写紙を取りやすくし、つまり、ユーザーの操作性を向上させるという効果がある。
【００２０】
請求項５記載の発明により、スキャーナ部の前方に設けられた操作部の色彩が、第１支柱部の前方部の色彩より、マンセルチャート（JIS）のマンセル値における明度の差が、３以下であることとしたので、より一層その収容スペースのより視認性を向上させて、排出された転写紙を取りやすくし、つまり、ユーザーの操作性を向上させるという効果がある。
【００２１】
請求項６記載の発明により、上記の数式を満たすことで、その収容スペースの影と第１支柱部の前方部の色彩が一体となるので、その収容スペースの視認性を向上させて、排出された転写紙を取りやすくし、つまり、ユーザーの操作性を向上させるという効果がある。
【発明を実施するための最良の形態】
【００２２】
以下、添付図面に示す具体例に基づいて本発明を説明する。
【００２３】
尚、以下の実施形態は本発明を具体化した一例であって本発明の技術的範囲を限定する性格のものではない。
【００２４】
図１は、本発明にしたがって、胴内排出型画像形成装置を示す一例である。
【００２５】
画像形成装置１００は、基本的に、スキャーナ部２００、本体ハウジング部１２０、第１支柱部３００とからなる。
【００２６】
さらに、スキャーナ部２００には、その前方部に操作部２１０が搭載されていて、ユーザーが、操作部２１０に入力することによって、画像形成装置１００の操作を行う。
【００２７】
そして、本体ハウジング部１２０には、排出された用紙を、原稿を読取る為のスキャーナ部２００とその用紙を上部に排出するトレーを内蔵した本体ハウジング部１２０との中に収納する為の用紙収容部１１０が、本体ハウジング部１２０の上部に備えられている。
【００２８】
さらに、本体ハウジング部１２０の下部には、前カバー１０１、内蔵カセット１２１（第1内蔵カセット１２２、第２内蔵カセット１２３）が、収納されている。
【００２９】
本体ハウジング部１２０とスキャーナ部２００との間に、スキャーナ部２００を支える第１支柱部３００がある。
（Ａ）第１の発明
第１支柱部の前方部３１０（図２）の色彩が、そのスキャーナ部の前方部の色彩及び／又は本体ハウジング部の前方部の色彩より、暗いことを特徴とする第１の発明を図１，２に基づいて、説明する。
【００３０】
図２の第１支柱部の前方部３１０の色彩を、そのスキャーナ部の前方部２２０及び／又は本体ハウジング部の前方部１２５の色彩より、暗いことを特徴とする発明である。
【００３１】
色彩が暗いということは、例えば、ＪＩＳで定められているマンセル値の差が、低く。例えば、Ｎ１〜Ｎ２ぐらいの範囲をいう。
【００３２】
その収容スペース５００の影と第１支柱部の前方部３１０の色彩が近くなるので、その収容スペースの視認性を向上させて、排出された転写紙を取りやすくし、つまり、ユーザーの操作性を向上させるという効果がある。
（Ｂ）第２の発明
第１支柱部の前方部の色彩が、そのスキャーナ部の前方部の色彩及び／又は本体ハウジング部の前方部の色彩より、マンセルチャート（JIS）のマンセル値の差が、３以上であることを特徴とする第２の発明を図１，２に基づいて、説明する。
【００３３】
図２の第１支柱部の前方部３１０の色彩を、そのスキャーナ部の前方部２２０及び／又は本体ハウジング部の前方部１２５の色彩より、マンセルチャート（JIS）のマンセル値の差が、３以上であることを特徴とする発明である。
【００３４】
その収容スペース５００の影と第１支柱部の前方部３１０の色彩が近くなり、さらに、第１支柱部の前方部３１０の色彩と、そのスキャーナ部の前方部２２０及び／又は本体ハウジング部の前方部１２５の色彩が、マンセル値の差で、３以上であるのでよりスキャーナ部２００と本体ハウジング部１２０が離れたイメージを受ける為、よりその収容スペースの視認性を向上させて、排出された転写紙を取りやすくし、つまり、ユーザーの操作性を向上させるという効果がある。
（Ｃ）第３の発明
少なくとも、第１支柱部の前方部の色彩が、マンセルチャート（JIS）のマンセル値における明度が、２以下であることを特徴とする第３の発明を図１，２に基づいて、説明する。
【００３５】
図２の第１支柱部の前方部３１０の色彩を、マンセルチャート（JIS）のマンセル値における明度が２以下であることを特徴とする発明である。
【００３６】
図２の第１支柱部の前方部３１０の色彩を、そのスキャーナ部の前方部２２０及び／又は本体ハウジング部の前方部１２５の色彩より、暗いことを特徴とする発明である。
【００３７】
その収容スペース５００の影と第１支柱部の前方部３１０の色彩が近くなるので、その収容スペースの視認性を向上させて、排出された転写紙を取りやすくし、つまり、ユーザーの操作性を向上させるという効果がある。
（Ｄ）第４の発明
スキャーナ部の前方に設けられた操作部の色彩を、第１支柱部の前方部の色彩と略同等としたことを特徴とする第４の発明を図１、２、３に基づいて、説明する。
【００３８】
図３の操作部２１０の色彩を、第１支柱部の前方部３１０の色彩と略同等としたことを特徴とする発明である。
【００３９】
操作部２１０と第１支柱部の前方部３１０、そのスキャーナ部の前方部２２０と本体ハウジング部の前方部１２５を差別化したので、その収容スペースと操作部２１０の視認性を向上させて、ユーザーの操作性を向上させるという効果がある。
（Ｅ）第５の発明
スキャーナ部の前方に設けられた操作部の色彩が、第１支柱部の前方部の色彩より、マンセルチャート（JIS）のマンセル値における明度の差が、３以下であることを特徴とする第４の発明を図１、２、３に基づいて、説明する。
【００４０】
図３の操作部２１０の色彩を、第１支柱部の前方部３１０の色彩より、マンセルチャート（JIS）のマンセル値における明度の差が、３以下であることを特徴とする発明である。
【００４１】
操作部２１０と第１支柱部の前方部３１０、そのスキャーナ部の前方部２２０と本体ハウジング部の前方部１２５を差別化したので、より一層、その収容スペースと操作部２１０の視認性を向上させて、ユーザーの操作性を向上させるという効果がある。
（Ｆ）第６の発明
０．６≧Ｌａ／Ｌｂ≧０．３
Lａ：後方に位置する第１支柱部の最前の前方部の位置と前方に位置する操作部又は本体ハウジング部の最前の前方部の位置との距離
Ｌb：そのスキャーナ部の底面と胴内の用紙収容部における用紙排出トレーの最下位置との距離
上記の式を満たすことを特徴とする第６の発明を図３、４に基づいて、説明する。
【００４２】
従来、このような胴内排出型画像形成装置では、操作部２１０、本体ハウジング部１２０、第１支柱部３００の前方部の位置は、同一若しくは、略同一であり、つまり、ほぼLａ＝０〜３０（ｍｍ）、Ｌb＝２００〜４００（ｍｍ）、Ｌａ／Ｌｂ＝０〜０．１５の範囲である。
【００４３】
さらに、従来は、上記の数式をたてて、その数式を満たす範囲に基づいて、第１支柱部３００の前方部の位置を、設定するという技術思想はなかった。
【００４４】
つまり、（Ｌａ／Ｌｂ）の値で、第１支柱部３００の前方部の最適な位置を決めていなかった。
【００４５】
そこで、上記の数式を満たすことで、操作する状態（図４のア）では、第１支柱部の最前の前方部は見えず、少し離れた状態の位置にいる（図４のイ）時は、第１支柱部の最前の前方部は、はっきりと確認できる位置にある。
【００４６】
例えば、本件特許発明の胴内排出型画像形成装置では、Lａ＝８０（ｍｍ）、Ｌb＝２００（ｍｍ）、Ｌａ／Ｌｂ＝０．４である。
【００４７】
つまり、ユーザーは、操作する状態（図４のア）では、第１支柱部の最前の前方部は見えないため、その操作部と本体ハウジング部との間に距離を感じることができる。又、少し離れた状態の位置にいる（図４のイ）では、第１支柱部の最前の前方部はよく見える為、そのスキャーナ部と本体ハウジング部との間に一体を感じることができ、装置全体に力強さを感じることができる。
【００４８】
さらに、詳しく説明すると、このような胴内排出型画像形成装置は、胴内排出に空洞がある為に、装置全体が弱そうなイメージがある。
【００４９】
ここで、（Ｌａ／Ｌｂ）≧０．６の場合は、第１支柱部の最前の前方部が、図４のア、イの位置の両方とも、見えなくなる傾向になり、装置全体に強度的な問題が生じる。
【００５０】
又、（Ｌａ／Ｌｂ）≦０．３の場合は、第１支柱部の最前の前方部が、図４のア、イの位置の両方とも、見える傾向になり、操作部２１０、本体ハウジング部１２０、第１支柱部３００に一体感がでるので、胴内排出型スペースから、紙が取り出しにくくなる。
【図面の簡単な説明】
【００５１】
【図１】本発明の全体図。
【図２】本発明の正面図でエリアを示した図。
【図３】本発明の正面図で、胴内スペースを示した図。
【図４】本発明の右側面図
【符号の説明】
【００５２】
１００  画像形成装置
１０１  前カバー
１１０  用紙収容部
１２０  本体ハウジング部
１２１  内蔵カセット
２００  スキャーナ部
２１０  操作部
３００  第１支柱部
３１０  第１支柱部の前方部
【図１】
2005099852.tif 000003
【図２】
2005099852.tif 000004
【図３】
2005099852.tif 000005
【図４】
2005099852.tif 000006